(57)【要約】      （修正有）【課題】従来の印象採得トレーに比べて、印象採得時間及び印象材の使用を３０％以上低減させることができ、ブロック−アウトのための付加的な時間及び離型剤の不要な使用を防止できる構造を有する印象採得トレーを提供する。【解決手段】印象採得トレーは１０、中央部に湾曲隆起部１３が形成された底部材１１；底部材１１のエッジに所定高さで形成され、湾曲隆起部１３との間に、歯列と対応するチャネルを形成するフランジ１２；及び底部材１１で延びたグリッパー１５を含み、フランジ１２は湾曲隆起部１３の高さより低い高さを有する。【選択図】図２
2011005021.tif 000002
【特許請求の範囲】
【請求項１】
隆起部が形成された底部材；
底部材のエッジに所定高さで形成され、隆起部との間に、患者の歯列と対応するチャネルを形成するフランジ；及び
底部材より延びたグリッパー；を含み、
上記フランジは隆起部の高さより低い高さを有することを特徴とする印象採得トレー。
【請求項２】
フランジは、唇側面で臨床歯冠高さの０．２〜０．５倍の高さを有することを特徴とする請求項1に記載の歯列印象採得トレー。
【請求項３】
フランジは、１〜８ｍｍの高さを有することを特徴とする請求項１に記載の印象採得トレー。
【請求項４】
隆起部を含む底部材及びフランジには、多数の貫通孔が形成され、各貫通孔の直径は２〜５ｍｍであることを特徴とする請求項１に記載の印象採得トレー。
【請求項５】
多数の貫通孔が形成された底部材；
底部材のエッジに所定高さで形成され、矯正装置が付着された歯牙表面に対応するフランジ；及び
底部材より延びたグリッパー；を含み、
上記フランジは、唇側面で臨床歯冠高さの０．２〜０．５倍の高さを有することを特徴とする矯正用印象採得トレー。
【請求項６】
フランジは、１〜８ｍｍの高さを有することを特徴とする請求項５に記載の矯正用印象採得トレー。
【請求項７】
各貫通孔の直径は２〜５ｍｍであることを特徴とする請求項５に記載の矯正用印象採得トレー。
【発明の詳細な説明】
【技術分野】
【０００１】
本発明は、印象採得トレーに関し、特に従来の印象採得トレーに比べて、唇側フランジ（labial flange）の高さを低くし、矯正装置が接着されている患者の印象を採得するにおいて、印象採得時間及び印象材の使用を３０％以上低減することができ、ブロック−アウトのための付加的な時間及び離型剤の不要な使用を防止することができる構造を持つ印象採得トレーに関するものである。
【背景技術】
【０００２】
現在、歯列矯正治療または歯牙補綴物製作などのような歯科診断及び治療過程で、患者の歯牙及び口蓋をはじめとする口腔の印象（impression）を採得するために、印象採得トレーが使用されている。
【０００３】
印象採得過程で、ユーザまたは歯科医者が、印象材（impression material）が充填されたトレーを患者の口腔内に位置させた後、トレーを歯牙方向に押し当てると、一定時間が経過した後、印象材がトレー内で硬くなる。以降、トレーを取り出すことによって、トレー内で固まった印象材に患者の歯牙及び口蓋をはじめとする口腔の印象が現れる。
【０００４】
一般的に、印象採得トレーは、歯列矯正用又は歯牙補綴用を区分せずに、印象材を充填することができる窪んだ構造を有している。このような従来のトレーは、全体的に歯牙、歯茎及び口腔前庭部に対応しうる程度の深さを有しており、特に、唇側フランジ（labial flange）の高さは約２０ｍｍ程度と比較的高く形成されている。
【０００５】
しかし、歯牙補綴用トレーの場合、口腔前庭部を含む全体の印象を採得する必要がある。しかし、歯列矯正（即ち、歯列分析、歯列矯正手術前後の歯列チェック、咬合状態の評価、または固定及び保持装置の製作等）のために、唇側面（唇と隣接した歯牙面）の場合、口腔前庭部の印象まで取得する必要がなく、咬合側(上下歯牙が接触する部分)から所定高さの印象だけを採得しても所期の目的を十分に達成することができる。従って、歯列矯正のためには、多量の印象材を利用して口腔前庭部までの全体の印象を採得することは印象材を不要に消耗するという点で好ましくない。
【０００６】
図１（ａ）〜（ｅ）は、一般的な印象採得トレーを利用して、印象を採得する過程を説明する図である。一般的な印象採得トレーが有する問題点を図１（ａ）〜（ｅ）に基づいて説明する。
【０００７】
歯列矯正中の患者の場合、歯牙１に、矯正装置２（ブラケット）が接着されており、従って、ユーザまたは歯科医者が印象採得トレー６を歯牙に向けて押し当てると、印象採得トレー６内に充填された印象材ｍは、矯正装置２を含む歯牙１、歯茎及び口腔前庭部１−１の全体表面と接触する。
【０００８】
従って、印象採得後、歯牙１と平行にトレー６を分離するとき、矯正装置２と歯茎部（歯牙と歯茎とが当接する部位）と間に存在する硬化された印象材ｍが矯正装置２にひっかかり、トレー６を分離することが容易ではない。
【０００９】
上記問題点を解決するために、ユーザまたは歯科医者は、印象採得前に矯正装置２と歯茎部と間の歯牙表面にワックスのような離型剤層５を細かく形成させなければならない（図１（ｂ）参照）。このような離型剤層５が存在する場合、印象採得トレー３内で固まった印象材は離型剤層５によって容易に分離される。
【００１０】
しかし、このような離型剤層を利用する場合、ユーザまたは歯科医者が印象採得前に、いちいち矯正装置２と歯茎部と間の歯牙表面に離型剤層５を形成させなければならなく、また印象採得後にも、残留された離型剤層５を除去しなければならない。従って、離型剤層形成及び除去に多くの時間と労力が必要とされ、印象材の他に付加的な離型剤の副材料の使用が必ず必要とされる短所があった。
【発明の概要】
【発明が解決しようとする課題】
【００１１】
そこで、本発明の目的は、印象採得トレーが有している上記問題点を解決するためのものであり、印象採得時間及び印象材の使用を３０％以上低減することができ、ブロック−アウトのための付加的な時間及び離型剤の不要な使用を防止することができる構造を有する印象採得トレーを提供することにある。
【課題を解決するための手段】
【００１２】
本発明に係る印象採得トレーは、中央部に湾曲隆起部が形成された底部材；底部材のエッジに所定高さで形成され、湾曲隆起部との間に、チャネルを形成するフランジ；及び底部材より延びたグリッパー；を含み、フランジは湾曲隆起部の高さより低い高さを有する。
【００１３】
好ましくは、上記フランジは、唇側面で臨床歯冠高さの０．２〜０．５倍の高さを有し、より好ましくは０．２〜０．４倍の高さを有する.
【００１４】
また、湾曲隆起部を含む底部材及びフランジには、多数の貫通孔が形成されており、ここで、各貫通孔の直径は２〜５ｍｍが好ましい。
【００１５】
さらに、本発明に係る印象採得トレーは多数の貫通孔が形成された底部材；底部材のエッジに所定高さで形成されたフランジ；及び底部材より延びたグリッパー；を含み、上記フランジは唇側面で臨床歯冠高さの０．２〜０．５倍の高さを有する。
【発明の効果】
【００１６】
上記のような本発明に係る歯列印象採得用トレーは、フランジの高さを低くし、印象材の使用量を３０％以上低減することができる。
【００１７】
また、印象採得前に、歯牙に取り付けられた矯正装置と歯茎部と間の歯牙表面に離型剤層を形成させたり採得後に離型剤層を除去したりする必要がなく、印象採得に必要とされる時間を３０％以上低減することができ、付加的な材料使用を防止することができる。
【００１８】
さらに、少ない力で歯牙からトレーを分離することができ、これにより、グリッパーの長さを最小化することができる。
【図面の簡単な説明】
【００１９】
【図１（ａ）】一般的な印象採得トレーを利用して歯列の印象を採得する過程を説明する図である。
【図１（ｂ）】一般的な印象採得トレーを利用して歯列の印象を採得する過程を説明する図である。
【図１（ｃ）】一般的な印象採得トレーを利用して歯列の印象を採得する過程を説明する図である。
【図１（ｄ）】一般的な印象採得トレーを利用して歯列の印象を採得する過程を説明する図である。
【図１（ｅ）】一般的な印象採得トレーを利用して歯列の印象を採得する過程を説明する図である。
【図２】本発明の実施例に係る上顎用印象採得トレーの斜視図である。
【図３】図２に示された印象採得トレーの側面図であり、チャネル内に印象材が充填された状態を示す図である。
【図４（ａ）】本発明の実施例に係る印象採得トレーを利用して歯列の印象を採得する過程を説明する図である。
【図４（ｂ）】本発明の実施例に係る印象採得トレーを利用して歯列の印象を採得する過程を説明する図である。
【図４（ｃ）】本発明の実施例に係る印象採得トレーを利用して歯列の印象を採得する過程を説明する図である。
【図４（ｄ）】本発明の実施例に係る印象採得トレーを利用して歯列の印象を採得する過程を説明する図である。
【図５】本発明の実施例に係る下顎用印象採得トレーの斜視図である。
【発明を実施するための形態】
【００２０】
以下、本発明を添付した図面を通して詳細に説明する。
【００２１】
図２は、本発明の実施例に係る上顎用印象採得トレーの斜視図、図３は図２に示された印象採得トレーの側面図、図３はトレー内に印象材が充填された状態を示す図である。
【００２２】
本発明の実施例に係る上顎用印象採得トレー１０は、底部材１１、底部材１１のエッジに所定高さで形成されたフランジ１２及び底部材１１より延びたグリッパー１５（gripper）を含む。
【００２３】
ここで、フランジ１２は、患者の唇と歯牙と間に位置し、臨床歯冠の一部分に対応する部分であり、グリッパー１５はユーザまたは歯科医者が把持する部分である。
【００２４】
底部材１１の中央部には、所定高さの湾曲隆起部１３が形成され、この湾曲隆起部１３は患者の口蓋と対応する形状を有する。ここで、この湾曲隆起部１３とフランジ１２と間には、患者の歯列と対応するチャネルＣが形成され、このチャネルＣ内に印象材Ｍが充填され、湾曲隆起部１３表面にも印象材Ｍが所定厚みで覆われている。
【００２５】
湾曲隆起部１３を含む底部材１１及びフランジ１２には多数の貫通孔１４が形成されている。
【００２６】
トレー１０が口腔内に位置された状態で、ユーザまたは歯科医者がトレー１０を押し当てると、チャネルＣに含まれた印象材Ｍの一部がこの貫通孔１４に流入される。従って、ユーザまたは歯科医者がトレー１０を押し当てた状態で、印象材Ｍが固まった後、トレー１０を患者の口腔内から取り出すとき、貫通孔１４内で硬化された印象材Ｍによってトレー１０と印象材Ｍの分離は行われない。
【００２７】
一方、フランジ１２は、湾曲隆起部１３の高さより低い高さＨを有する。特に、チャネルＣ内に充填された印象材Ｍが患者の歯牙に取り付けられた矯正装置（ブラケット）及び歯茎部間の歯牙表面とは接触しなく、矯正装置の一部にだけ接触するようにフランジ１２の高さを設定することが好ましい。
【００２８】
具体的に、フランジの高さは唇側面で臨床歯冠高さの０．２〜０．５倍の高さを有することが好ましく、より好ましくは０．２〜０．４倍の高さを有するものだ。
【００２９】
さらに、患者の臨床歯冠高さによってフランジの高さは変化され得るが、一般的に１〜８ｍｍに設定することが好ましい。従って、フランジ１２と湾曲隆起部１３と間に形成されたチャネルＣも１〜８ｍｍの深さを有する。
【００３０】
このような構造の印象採得トレー１０を利用して、印象の採得する過程及びその過程から得られる効果を図を通して説明する。
【００３１】
図４（ａ）〜（ｄ）は、本発明の実施例に係る印象採得トレーを利用して印象を採得する過程を説明する図である。
【００３２】
まず、図２及び図３に示された構造を有する本発明に係る印象採得トレー１０内、即ち、チャネルＣ内部及び湾曲隆起部１３上に印象材Ｍが充填された状態で、患者の口腔内に位置させる（図４（ｂ）の状態）。
【００３３】
このとき、本発明の実施例に係る印象採得トレー１０を使用する場合、図４（ａ）に示されるように、患者の歯牙１に取り付けられた矯正装置２と歯茎部と間の歯牙表面に離型剤層を形成する必要がない。
【００３４】
ユーザまたは歯科医者が、印象採得トレー１０を歯牙に向けて押し当てると、印象採得トレー１０内の印象材Ｍは唇側面で患者の歯牙１の一部にだけ接触する。即ち、歯牙１に取り付けられた矯正装置２と歯茎部と間の歯牙表面には印象材Ｍが接触しなく、歯牙１の咬合側面から矯正装置２の一部分だけが印象材Ｍと接触するようになる。
【００３５】
さらに、印象材Ｍは、患者の口蓋部と歯牙の舌側面で接触するようになる。特に、唇側面の場合、咬合側から所定の高さ、即ち、臨床歯冠高さの０．２〜０．５倍の高さにだけ接触するようになる（図４（ｃ）の状態）。
【００３６】
従って、ユーザまたは歯科医者が、トレー１０を押し当てた状態で、印象材が固まり、以降、口腔内でトレー１０を除去すれば、固まった印象材Ｍ１には歯列矯正に必要な患者の歯列の印象が現れる。このとき、歯牙１に取り付けられた矯正装置２と歯茎部と間の歯牙表面には硬い印象材が残留しない（図４（ｄ）の状態）。
【００３７】
これにより、浅い深さのチャネルＣ内に印象材Ｍを充填することによって、歯列印象採得のために使われる印象材Ｍの量を顕著に低減することができる。
【００３８】
一方、低い高さのフランジ１２を使用するために、トレー１０を歯牙方向に押し当てる場合、チャネルＣに固定されていた印象材Ｍが唇側フランジを越えて流出され得る。
【００３９】
このような問題点を予防するために、湾曲隆起部１３を含む底部材１１及びフランジ１２に形成された各貫通孔１４の大きさを若干大きく調整することが好ましい。貫通孔１４の形状は、特に制限されないが、その形状が円状の場合は、貫通孔の直径が２〜５ｍｍであることが好ましい。
【００４０】
このように貫通孔１４の大きさを大きく調整すれば、トレー１０を歯牙方向に押し当てる場合、より多くの印象材Ｍが貫通孔１４を介して流出されるので、フランジ１２を越えて流出される印象材Ｍの量を最小化することができる。また、このような条件でトレー１０と硬化された印象材Ｍの結合力が最大となる。従って、患者の口腔からトレー１０を除去するとき、トレー１０と固まった印象材Ｍ１の分離は行われない。
【００４１】
図５は、本発明の実施例に係る下顎用印象採得トレー２０の斜視図である。湾曲隆起部２３の上部が開放された形状を除いては、図２に示された上顎用印象採得トレー１０と同じ構造及び機能を有しているので、これらに対する説明は省略する。
【００４２】
以上で説明された本発明の好ましい実施例は例示の目的のために開示されたものである。本発明に対する通常の知識を有する当業者であれば、本発明の思想と範囲内で様々な修飾、変更、付加が可能である。このような修飾、変更及び付加は下記の特許請求の範囲に属することは自明である。
【００４３】
例えば、図２には、底部材１１の中央部には所定高さの湾曲隆起部１３が形成された印象採得トレー１０を示しているが、湾曲隆起部のない底部材のエッジに、上記で説明する条件を満たす高さのフランジを形成する場合にも同じ効果を得ることができる。
【符号の説明】
【００４４】
１０  上顎用印象採得トレー
１１  底部材
１２  フランジ
１３  湾曲隆起部
１４  貫通孔
１５  グリッパー
Ｍ  印象材
【図１（ａ）】
2011005021.tif 000003
【図１（ｂ）】
2011005021.tif 000004
【図１（ｃ）】
2011005021.tif 000005
【図１（ｄ）】
2011005021.tif 000006
【図１（ｅ）】
2011005021.tif 000007
【図２】
2011005021.tif 000008
【図３】
2011005021.tif 000009
【図４（ａ）】
2011005021.tif 000010
【図４（ｂ）】
2011005021.tif 000011
【図４（ｃ）】
2011005021.tif 000012
【図４（ｄ）】
2011005021.tif 000013
【図５】
2011005021.tif 000014